(57)【要約】【課題】  コマセカゴを投入しておき、その間はコマセを出さず、魚が廻ってきたら好きな時にコマセを出せ、投入時は天秤の働きをしつつ、棚までいくと天秤はなくなりハリスになる、糸からみをなくした、天秤付きコマセカゴを提供する。【解決手段】  コマセカゴに誘導する外筒を設け、その外筒を上部内筒にロックするように設けコマセを好きな時に出せるようにして、接続した金属線により投入時は天秤の働きをしつつ、棚まで行くと金属線は自重で下がりハリスの役目をするように設けた。【選択図】図１
2009106260.tif 000002
【特許請求の範囲】
【請求項１】
コマセカゴのコマセ放出口に、設けた外筒により、海中で好きな時にコマセを放出できる特徴を持つ釣具。
【請求項２】
上記外筒には例えば水の抵抗を受けやすいように突起物を設けてあることが特徴とする釣具。
【請求項３】
上記外筒はコマセカゴ下部から、コマセカゴ上部の間を上下に内筒の外側をスライドすることが特徴とする釣具。
【請求項４】
上記外筒に接する内筒には、上記外筒の動きを制御する突起物を設けて有るのが特徴とする釣具。
【請求項５】
上記内筒の中に上下左右にスライドするように、内筒が収まっているのが特徴とする釣具。
【請求項６】
上記内筒とその外側にある内筒には、コマセを筒内に入れたり、海中にコマセを放出する時に使うため、両方の内筒には、開口部を設けてあることを特徴とする釣具。
【請求項７】
道糸とハリスの間の上記コマセカゴは、金属線で貫通してある事を特徴とする釣具。
【請求項８】
上記金属線を中心に、上記コマセカゴは、移動可能なように接続したことを特徴とする釣具。
【請求項９】
上記金属線に移動可能なように接続した、金属線を有し、投入時、たとえば水の抵抗で、必要とする指示角を指示棚まで、保つ特徴を持つ釣具。
【請求項１０】
指示棚で止めると、上記金属線に移動可能に接続した金属線は、自重で約垂直になる特徴を持つ釣具
【発明の詳細な説明】
【技術分野】
【０００１】  本発明は魚を寄せるための撒き餌を収容するコマセカゴを有する釣具の改良に関するものである【０００２】  一般に撒き餌を収容したコマセカゴを天秤に取り付けるようにした釣具は知られている【０００３】  しかしながら上記の如き従来技術ではコマセカゴが指示棚まで行く間に、コマセが出てしまい、違う魚が掛かってしまうし、コマセのロスが多くなってしまう。【０００４】  一般的に使用されている天秤では、魚が掛かったとき天秤とコマセカゴも一緒に引かないと竿又は、ウキに当たりが伝わらない。また  天秤の構造上ハリスがコマセカゴ及び天秤に絡むトラブルが多い。【０００５】一般的に使用されているコマセカゴは指示棚まで行くとコマセが出てしまい。魚が廻ってくる時は、コマセがなくなってしまう。
【発明の開示】
【発明が解決しようとする課題】
【０００６】  そこで本発明が解決しようとする課題はコマセカゴが指示棚まで行く間はコマセを出さず。指示棚へ着いても、魚が廻って来るまではコマセを出さず、魚が廻って来た時に、思うようにコマセを出すことが出来るコマセカゴを提供する、又わずかな魚の当たりも素早く竿先又はウキに伝えることができ、ハリスが絡みにくくした構造の釣具を提供する。
【課題を解決するための手段】
【０００７】  かかる目的を達成する為本発明のひとつの特徴による釣具はコマセカゴに誘導する外筒を設け、コマセカゴを投入するときには外筒をロックしてコマセが出ないようにしておき、指示棚まで到達したら、好きな時に道糸を引けばコマセが出るようにした。【０００８】  本発明の他の特徴による釣具は、道糸と、この道糸に接続された金属線と、この金属線に移動可能に接続された金属線と、前記金属線に移動可能に接続されたコマセカゴを有しいる。
【発明の効果】
【０００９】本発明のひとつの特徴によれば、コマセを出す時が自在にできるため、他の魚にじゃまをされず、決めた指示棚で、狙った魚を釣ることができる。【００１０】本発明のひとつの特徴によれば、コマセカゴが金属線に誘導可能に接続された金属線上を移動可能なので、こませカゴの負荷が道糸やハリスに加えられず、魚が掛かった時当たりが僅かなものであっても竿先又はうきにすばやくつたえられ、魚の当たりが感じられる。【００１１】また本発明の他の特徴によれば天秤によって釣り針やハリスがコマセカゴ等に、絡むのを未然に防止することができる。【００１２】本発明のひとつの特徴によれば、金属線つきコマセカゴは投入時は金属線が天秤の形を維持し、指示棚へ着くと金属線は自重で下がりハリスと一体となり当たりを待つことが出来る。
【発明を実施するための最良の形態】
【００１３】以下本発明の実施形態を図面に示した実施例にもとずき、詳細に説明する。
図１には本発明に係わる釣具の一実施例が示されておりこの実施例における釣具は、コマセカゴ上部に明けてあるコマセ放出口４と、４′を好きな時に開けることが出来る、外筒８と、水の抵抗を受けやすいように例えば突起のような６を設ける。【００１４】道糸１とハリス２との間に接続された金属線３とこの金属線３に移動可能に取り付けられたコマセカゴ１７を有する。金属線３はコマセカゴ１７の内部に、露出した状態で上下方向に貫通している、金属線３はコマセカゴ１７の上下端部で拘束されていないので、コマセカゴ１７の内部をなんら抵抗もなく自由に移動可能である。【００１５】コマセカゴ１７は、例えばプラスチックから作られた略中空の円筒体からなり内部に魚を引き寄せるための撒餌さが収容されている、コマセカゴ１７の半分から上には、４、４′のようにコマセ放出口が設けられ、コマセをつめ海中に投入するときは、外筒８を７のところまで上げてロックしておき、指示棚でコマセカゴを止め好きな時に道糸を引き上げるとロックが外れて外筒８は、重力で下がり放出口４は、開けられコマセが少しずつ出される。【００１６】１４，１５の内筒を、放出口４，４′が会うようにはめ、上下を持ち、左右に回して、コマセの出を調整する。【００１７】上方のストッパ１２はリング形態であるが下方向のストッパ１３の上には抜け落ちない程度に１１の先端を重ね巻加工してあるため投入時は１０が１３に当たり沈む間は約９０度を保ち沈んでいき棚で止めると自重で下がり、１１は約直線状になり、ハリスと一体となっている為、糸からみも少なく又、魚が掛かった時でもハリスと一体な形状の為、当たりが、直接竿に伝わる利点がある。【００１８】１３の穴には好きな重さの錘が取り付けられるよう設けてある。
【図面の簡単な説明】
【００１９】
【図１】本発明に係る釣具の一実施例を示す立面図である。
【図２】図１に示された釣具の一部の斜視図である。
【図３】天秤の作用を示す説明図である。
【図４】魚が掛かった時の作用を示す説明図である。
【符号の説明】
【００２０】  １  道糸
２  ハリス
３  上部金属線
４  上部内筒開口部
４′下部内筒開口部
６  外筒の水抵抗部
７  外筒ストッパーの為の上部内筒の突起物
８  外筒
１０  下部金属線の先端を重ね巻き加工してある部分。
１１  下部金属線
１２  上部金属線上部先端の穴
１３  上部金属線下部先端の穴
１４  下部内筒
１５  上部内筒
１６  下部金属線下部先端の穴
１７  コマセカゴ本体
【図１】
2009106260.tif 000003
【図２】
2009106260.tif 000004
【図３】
2009106260.tif 000005
【図４】
2009106260.tif 000006